(57)【要約】  グループ通信システムにおいて少なくとも１つのクライアントノードをページングするための方法。方法は、グループ通信システムの制御ノードによって実施される。方法は、グループ通信システムにおいて少なくとも１つのクライアントノードをページングする必要性を取得することと、少なくとも１つのクライアントノードに単一セルポイントツーマルチポイント（ＳＣ−ＰＴＭ）送信により少なくとも１つのクライアントノードのためのページングメッセージを送信することとを備える。【選択図】図７
2019512972.tif 000002
【特許請求の範囲】
【請求項１】
グループ通信システム（１００）の制御ノード（２００）によって実施される、前記グループ通信システム（１００）において少なくとも１つのクライアントノード（３００ａ、３００ｂ、３００ｃ）をページングするための方法であって、
前記グループ通信システム（１００）において前記少なくとも１つのクライアントノード（３００ａ、３００ｂ、３００ｃ）をページングする必要性を取得すること（Ｓ１０２）と、
前記少なくとも１つのクライアントノード（３００ａ、３００ｂ、３００ｃ）に単一セルポイントツーマルチポイント（ＳＣ−ＰＴＭ）送信により前記少なくとも１つのクライアントノード（３００ａ、３００ｂ、３００ｃ）のためのページングメッセージを送信すること（Ｓ１０６）と
を備える方法。
【請求項２】
前記ページングメッセージが、マルチメディアブロードキャストマルチキャストサービス（ＭＢＭＳ）ベアラ上で送信される、請求項１に記載の方法。
【請求項３】
ページングする前記必要性を取得することは、
少なくとも１つのパケットが、前記少なくとも１つのクライアントノード（３００ａ、３００ｂ、３００ｃ）に宛てられるという指示を取得すること（Ｓ１０２ａ）
を備える、請求項１に記載の方法。
【請求項４】
前記指示を取得したことに応答して、前記ＭＢＭＳベアラをアクティブ化すること（Ｓ１０４）
をさらに備える、請求項２または３に記載の方法。
【請求項５】
前記ページングメッセージは、前記少なくとも１つのパケットが、ユニキャストベアラを介して前記少なくとも１つのクライアントノード（３００ａ、３００ｂ、３００ｃ）に送信されることになることを示す、請求項３に記載の方法。
【請求項６】
前記ページングメッセージが、前記少なくとも１つのクライアントノード（３００ａ、３００ｂ、３００ｃ）に送信される個別のページングメッセージを表す、請求項１に記載の方法。
【請求項７】
前記個別のページングメッセージが、前記少なくとも１つのクライアントノード（３００ａ、３００ｂ、３００ｃ）のうちの１つの識別子を備える、請求項６に記載の方法。
【請求項８】
前記ページングメッセージが、クライアントノード（３００ａ、３００ｂ、３００ｃ）のグループ（１６０ａ、１６０ｂ）に送信される１つの共通グループページングメッセージを表す、請求項１に記載の方法。
【請求項９】
前記グループページングメッセージが、前記少なくとも１つのクライアントノード（３００ａ、３００ｂ、３００ｃ）の前記グループ（１６０ａ、１６０ｂ）の識別子を備える、請求項８に記載の方法。
【請求項１０】
前記少なくとも１つのクライアントノード（３００ａ、３００ｂ、３００ｃ）は、前記ページングメッセージが送信されるときにアイドルモードにある、請求項１に記載の方法。
【請求項１１】
クライアントノード（３００ａ）によって実施される、グループ通信システム（１００）においてページングを受信するための方法であって、
前記グループ通信システム（１００）の制御ノード（２００）から単一セルポイントツーマルチポイント（ＳＣ−ＰＴＭ）送信により前記クライアントノード（３００ａ）のためのページングメッセージを受信すること（Ｓ２０４）
を備える方法。
【請求項１２】
前記クライアントノード（３００ａ）が、前記ページングメッセージを受信するときにアイドルモードにある、請求項１１に記載の方法。
【請求項１３】
前記ページングメッセージを受信すると、接続モードに入るようにとのサービス要求を送信すること（Ｓ２０６）
をさらに備える、請求項１２に記載の方法。
【請求項１４】
前記グループ通信システム（１００）の無線アクセスネットワーク（１２０）の無線アクセスネットワークノード（１１０）から前記クライアントノード（３００ａ）のためのさらなるページングメッセージを受信すること（Ｓ２０８）
をさらに備える、請求項１１に記載の方法。
【請求項１５】
接続モードに入ったことの帰結として、前記無線アクセスネットワーク（１２０）の前記無線アクセスネットワークノード（１１０）にさらなるサービス要求を送信しないことを決定すること（Ｓ２１０）
をさらに備える、請求項１３および１４に記載の方法。
【請求項１６】
前記ページングメッセージが、マルチメディアブロードキャストマルチキャストサービス（ＭＢＭＳ）ベアラ上で受信される、請求項１１に記載の方法。
【請求項１７】
前記ページングメッセージを受信するより前に前記ＭＢＭＳベアラを監視すること（Ｓ２０２）
をさらに備える、請求項１６に記載の方法。
【請求項１８】
前記ページングメッセージは、前記クライアントノード（３００ａ）に宛てられた少なくとも１つのパケットが、ユニキャストベアラを介して前記クライアントノード（３００ａ）に送信されることになることを示す、請求項１１に記載の方法。
【請求項１９】
前記ページングメッセージは、前記クライアントノード（３００ａ）がサービス要求を送信することによって、前記クライアントノード（３００ａ）がユニキャスト無線ベアラを取得することを示す、請求項１１に記載の方法。
【請求項２０】
ページングメッセージが前記クライアントノード（３００ａ）の個別の識別子を備える、請求項１１に記載の方法。
【請求項２１】
前記ページングメッセージが、クライアントノード（３００ａ、３００ｂ、３００ｃ）のグループ（１６０ａ、１６０ｂ）のグループ識別子を備え、前記クライアントノード（３００ａ）が前記グループ（１６０ａ、１６０ｂ）のメンバーである、請求項１１に記載の方法。
【請求項２２】
処理回路（２１０）を備える、グループ通信システム（１００）において少なくとも１つのクライアントノード（３００ａ、３００ｂ、３００ｃ）をページングするための制御ノード（２００）であって、前記処理回路が、前記制御ノード（２００）に、
前記グループ通信システム（１００）において前記少なくとも１つのクライアントノード（３００ａ、３００ｂ、３００ｃ）をページングする必要性を取得することと、
前記少なくとも１つのクライアントノード（３００ａ、３００ｂ、３００ｃ）に単一セルポイントツーマルチポイント（ＳＣ−ＰＴＭ）送信により前記少なくとも１つのクライアントノード（３００ａ、３００ｂ、３００ｃ）のためのページングメッセージを送信することと
を行わせるように設定される、制御ノード（２００）。
【請求項２３】
処理回路（２１０）と、
命令を記憶するコンピュータプログラム製品（４１０ａ）と
を備える、グループ通信システム（１００）において少なくとも１つのクライアントノード（３００ａ、３００ｂ、３００ｃ）をページングするための制御ノード（２００）であって、前記命令が、前記処理回路（２１０）によって実行されるとき、前記制御ノード（２００）に、
前記グループ通信システム（１００）において前記少なくとも１つのクライアントノード（３００ａ、３００ｂ、３００ｃ）をページングする必要性を取得することと、
前記少なくとも１つのクライアントノード（３００ａ、３００ｂ、３００ｃ）に単一セルポイントツーマルチポイント（ＳＣ−ＰＴＭ）送信により前記少なくとも１つのクライアントノード（３００ａ、３００ｂ、３００ｃ）のためのページングメッセージを送信することと
を行わせる、制御ノード（２００）。
【請求項２４】
グループ通信システム（１００）において少なくとも１つのクライアントノード（３００ａ、３００ｂ、３００ｃ）をページングするための制御ノード（２００）であって、
前記グループ通信システム（１００）において前記少なくとも１つのクライアントノード（３００ａ、３００ｂ、３００ｃ）をページングする必要性を取得するように設定された取得モジュール（２１０ａ）と、
前記少なくとも１つのクライアントノード（３００ａ、３００ｂ、３００ｃ）に単一セルポイントツーマルチポイント（ＳＣ−ＰＴＭ）送信により前記少なくとも１つのクライアントノード（３００ａ、３００ｂ、３００ｃ）のためのページングメッセージを送信するように設定された送信モジュール（２１０ｂ）と
を備える制御ノード（２００）。
【請求項２５】
処理回路（３１０）を備える、グループ通信システム（１００）においてページングを受信するためのクライアントノード（３００ａ）であって、前記処理回路が、前記クライアントノード（３００ａ）に、
前記グループ通信システム（１００）の制御ノード（２００）から単一セルポイントツーマルチポイント（ＳＣ−ＰＴＭ）送信により前記クライアントノード（３００ａ）のためのページングメッセージを受信すること
を行わせるように設定される、クライアントノード（３００ａ）。
【請求項２６】
処理回路（３１０）と、
命令を記憶するコンピュータプログラム製品（４１０ｂ）と
を備える、グループ通信システム（１００）においてページングを受信するためのクライアントノード（３００ａ）であって、前記命令が、前記処理回路（３１０）によって実行されるとき、前記クライアントノード（３００ａ）に、
前記グループ通信システム（１００）の制御ノード（２００）から単一セルポイントツーマルチポイント（ＳＣ−ＰＴＭ）送信により前記クライアントノード（３００ａ）のためのページングメッセージを受信すること
を行わせる、クライアントノード（３００ａ）。
【請求項２７】
グループ通信システム（１００）においてページングを受信するためのクライアントノード（３００ａ）であって、
前記グループ通信システム（１００）の制御ノード（２００）から単一セルポイントツーマルチポイント（ＳＣ−ＰＴＭ）送信により前記クライアントノード（３００ａ）のためのページングメッセージを受信するように設定された受信モジュール（３１０ａ）
を備えるクライアントノード（３００ａ）。
【請求項２８】
コンピュータコードを備える、グループ通信システム（１００）において少なくとも１つのクライアントノード（３００ａ、３００ｂ、３００ｃ）をページングするためのコンピュータプログラム（４２０ａ）であって、前記コンピュータコードが、制御ノード（２００）の処理回路（２１０）上で起動するとき、前記制御ノード（２００）に、
前記グループ通信システム（１００）において前記少なくとも１つのクライアントノード（３００ａ、３００ｂ、３００ｃ）をページングする必要性を取得すること（Ｓ１０２）と、
前記少なくとも１つのクライアントノード（３００ａ、３００ｂ、３００ｃ）に単一セルポイントツーマルチポイント（ＳＣ−ＰＴＭ）送信により前記少なくとも１つのクライアントノード（３００ａ、３００ｂ、３００ｃ）のためのページングメッセージを送信すること（Ｓ１０４）と
を行わせる、コンピュータプログラム（４２０ａ）。
【請求項２９】
コンピュータコードを備える、グループ通信システム（１００）においてページングを受信するためのコンピュータプログラム（４２０ｂ）であって、前記コンピュータコードが、クライアントノード（３００ａ）の処理回路（３１０）上で起動するとき、前記クライアントノード（３００ａ）に、
前記グループ通信システム（１００）の制御ノード（２００）から単一セルポイントツーマルチポイント（ＳＣ−ＰＴＭ）送信により前記クライアントノード（３００ａ）のためのページングメッセージを受信すること（Ｓ２０４）
を行わせる、コンピュータプログラム（４２０ｂ）。
【請求項３０】
請求項２８および２９のうちの少なくとも一項に記載のコンピュータプログラム（４２０ａ、４２０ｂ）と、前記コンピュータプログラムが記憶されるコンピュータ可読ストレージ媒体（４３０）とを備えるコンピュータプログラム製品（４１０ａ、４１０ｂ）。
【発明の詳細な説明】
【技術分野】
【０００１】
本明細書で提示する実施形態は、グループ通信システムにおいて少なくとも１つのクライアントノードをページングするための、方法、制御ノード、コンピュータプログラム、およびコンピュータプログラム製品に関する。本明細書で提示するさらなる実施形態は、グループ通信システムにおいてページングを受信するための、方法、クライアントノード、コンピュータプログラム、およびコンピュータプログラム製品に関する。
【背景技術】
【０００２】
通信ネットワークにおいては、所与の通信プロトコル、そのパラメータ、および通信ネットワークが配置されている物理環境に対して、良好なパフォーマンスおよび容量を取得するための難題が存在することがある。
【０００３】
いくつかの通信システムにおいて利用可能な適用例の一例は、グループ通信サービスである。一般論として、グループ通信は、同じ情報またはメディアが複数のクライアントノードに配信されることを意味する。多くのクライアントノードが同じエリア内に位置する場合、たとえば、マルチメディアブロードキャストマルチキャストサービス（ＭＢＭＳ）を使用する、マルチキャストまたはブロードキャストベースの送信は、時間および周波数リソースなどの通信リソースがクライアントノード間で共有されるので、クライアントノードのグループへの通信に対して効率的である。
【０００４】
プッシュツートーク（ＰＴＴ）などのグループ通信のトラフィックパターンは、一般に散発性であり、長い無音期間があり（メディアが送信されず）、次いで、急激に、いくつかの短いバーストのデータがグループ通信クライアントとサーバとの間で送信される。さらに、グループ通信における呼設定のための重要な性能要件がある。これらの要件は達するのが困難である。
【０００５】
グループ通信クライアントノードをホストするデバイス（たとえばワイヤレスデバイス）が無音期間を経験するとき、そのホスティングデバイスの無線エンティティがアイドルモードに入る。これは、送信機および受信機がアクティブである接続モードにデバイスが戻るまで、データが、ユニキャストベアラを介して受信または送信され得ないことを意味する。アイドルモードと接続モードとを使用する通信ネットワークでは、デバイスを見つけ、デバイスに、ユニキャストベアラを介してデバイスに送られるのを待っているデータがあることを知らせるという目標をもつページング機構がある。デバイスは、ページングメッセージを受信および復号し、そのページングメッセージがデバイスに向けられた場合、そのデバイスは、接続モードに入るための適切なプロシージャを開始する。
【０００６】
デバイスは、通信ネットワークがデバイスにページングメッセージを送信しているかどうかを監視しなければならず、この監視プロセスは、（デバイス中のバッテリーなどの）電力を消費する。アイドルモードにあるときに電力消費を節約する１つのやり方は、間欠受信（ＤＲＸ）を使用することである。ＤＲＸによれば、通信ネットワークは、デバイスに、ページングメッセージがいつ送られるかに関する厳密なタイミングを知らせ、デバイスが、前もってシグナリングされた時間期間においてページングッセージの監視を始動する必要があるにすぎないことを知らせる。
【０００７】
第３世代パートナーシッププロジェクト（３ＧＰＰ）拡張ユニバーサル地上波無線アクセスネットワーク（Ｅ−ＵＴＲＡＮ）では、デバイスが起動し、ページングメッセージをリッスンするための最も短い間隔は、３２０ｍｓである。パラメータは、ｄｅｆａｕｌｔＰａｇｉｎｇＣｙｃｌｅと呼ばれ、３ＧＰＰ  ＴＳ３６．３３１  ｖ１３．０．０において規定されている。ネットワーク事業者は、より長いｄｅｆａｕｌｔＰａｇｉｎｇＣｙｃｌｅ、たとえば１２８０ｍｓを適用することができる。ｄｅｆａｕｌｔＰａｇｉｎｇＣｙｃｌｅはセルごとに規定され、そのため、同じセル中でサーブされるすべてのデバイスが、同じｄｅｆａｕｌｔＰａｇｉｎｇＣｙｃｌｅを使用する。
【０００８】
グループ通信システム（たとえばプッシュツートークシステム）では、呼設定のための性能要件は、一般に、＜３００ｍｓである。上で説明したページング方法を用いると、グループ呼設定において新しいデバイスに通信するとき、さらには受信デバイスがアイドルモードに入った無音期間の後にグループ通信データを送信するとき、サーバレイテンシ問題があり得る。限定はしないが、ＰＴＴなど、リアルタイム適用例の場合、この問題は、ＰＴＴシステムがユニキャスト送信を使用しており、受信クライアントノードのうちのいくつかがアイドルモードにある場合、呼設定とマウスツーイヤー（ｍｏｕｔｈ−ｔｏ−ｅａｒ）遅延とに影響を及ぼすことがある。潜在的に、パケットは、クライアントノードが接続モードに達し、無線ベアラを再確立するまでドロップされてもよい。
【０００９】
したがって、グループ通信システムにおいて、ＰＴＴなどのリアルタイムクリティカルサービスの改善されたハンドリングの必要性が依然として存在する。
【発明の概要】
【００１０】
本明細書の実施形態の目的は、グループ通信システムにおいて、ＰＴＴなどのリアルタイムクリティカルサービスの効率的なハンドリングを提供することである。
【００１１】
第１の態様によれば、グループ通信システムにおいて少なくとも１つのクライアントノードをページングするための方法が提示される。方法は、グループ通信システムの制御ノードによって実施される。方法は、グループ通信システムにおいて少なくとも１つのクライアントノードをページングする必要性を取得することを備える。方法は、少なくとも１つのクライアントノードに単一セルポイントツーマルチポイント送信により少なくとも１つのクライアントノードのためのページングメッセージを送信することを備える。
【００１２】
第２の態様によれば、グループ通信システムにおいて少なくとも１つのクライアントノードをページングするための制御ノードが提示される。制御ノードは、処理回路を備える。処理回路は、制御ノードに、グループ通信システムにおいて少なくとも１つのクライアントノードをページングする必要性を取得させるように設定される。処理回路は、制御ノードに、少なくとも１つのクライアントノードに単一セルポイントツーマルチポイント送信により少なくとも１つのクライアントノードのためのページングメッセージを送信させるように設定される。
【００１３】
第３の態様によれば、グループ通信システムにおいて少なくとも１つのクライアントノードをページングするための制御ノードが提示される。制御ノードは、処理回路とコンピュータプログラム製品とを備える。コンピュータプログラム製品は、処理回路によって実行されるとき、制御ノードにステップまたは動作を実施させる命令を記憶する。ステップまたは動作は、グループ通信システムにおいて少なくとも１つのクライアントノードをページングする必要性を取得するための制御ノードを伴う。ステップまたは動作は、制御ノードに、少なくとも１つのクライアントノードに単一セルポイントツーマルチポイント送信により少なくとも１つのクライアントノードのためのページングメッセージを送信するための制御ノードを伴う。
【００１４】
第４の態様によれば、グループ通信システムにおいて少なくとも１つのクライアントノードをページングするための制御ノードが提示される。制御ノードは、グループ通信システムにおいて少なくとも１つのクライアントノードをページングする必要性を取得するように設定された取得モジュールを備える。制御ノードは、少なくとも１つのクライアントノードに単一セルポイントツーマルチポイント送信により少なくとも１つのクライアントノードのためのページングメッセージを送信するように設定された送信モジュールを備える。
【００１５】
第５の態様によれば、グループ通信システムにおいて少なくとも１つのクライアントノードをページングするためのコンピュータプログラムが提示され、コンピュータプログラムは、制御ノードの処理回路上で起動するとき、制御ノードに第１の態様による方法を実施させるコンピュータプログラムコードを備える。
【００１６】
第６の態様によれば、グループ通信システムにおいてページングを受信するための方法が提示される。方法は、クライアントノードによって実施される。方法は、グループ通信システムの制御ノードから単一セルポイントツーマルチポイント送信によりクライアントノードのためのページングメッセージを受信することを備える。
【００１７】
第７の態様によれば、グループ通信システムにおいてページングを受信するためのクライアントノードが提示される。クライアントノードは、処理回路を備える。処理回路は、クライアントノードに、グループ通信システムの制御ノードから単一セルポイントツーマルチポイント送信によりクライアントノードのためのページングメッセージを受信させるように設定される。
【００１８】
第８の態様によれば、グループ通信システムにおいてページングを受信するためのクライアントノードが提示される。クライアントノードは、処理回路とコンピュータプログラム製品とを備える。コンピュータプログラム製品は、処理回路によって実行されるとき、クライアントノードに、グループ通信システムの制御ノードから単一セルポイントツーマルチポイント送信によりクライアントノードのためのページングメッセージを受信させる命令を記憶する。
【００１９】
第９の態様によれば、グループ通信システムにおいてページングを受信するためのクライアントノードがある。クライアントノードは、グループ通信システムの制御ノードから単一セルポイントツーマルチポイント送信によりクライアントノードのためのページングメッセージを受信するように設定された受信モジュールを備える。
【００２０】
第１０の態様によれば、グループ通信システムにおいてページングを受信するためのコンピュータプログラムが提示され、コンピュータプログラムは、クライアントノードの処理回路上で起動するとき、クライアントノードに第６の態様による方法を実施させるコンピュータプログラムコードを備える。
【００２１】
第１１の態様によれば、第５の態様および第１０の態様のうちの少なくとも１つによるコンピュータプログラムと、コンピュータプログラムが記憶されるコンピュータ可読ストレージ媒体とを備えるコンピュータプログラム製品が提示される。コンピュータ可読ストレージ媒体は、非一時的コンピュータ可読ストレージ媒体であってもよい。
【００２２】
有利なことに、これらの方法、これらの制御ノード、これらのクライアントノード、およびこれらのコンピュータプログラムは、グループ通信システムにおいて、ＰＴＴなどのリアルタイムクリティカルサービスの効率的なハンドリングを可能にする、グループ通信システムにおけるクライアントノードの効率的なページングを提供する。
【００２３】
有利なことに、これらの方法、これらの制御ノード、これらのクライアントノード、およびこれらのコンピュータプログラムは、グループ通信時間要件を満たすことを可能にする。
【００２４】
有利なことに、これらの方法、これらの制御ノード、これらのクライアントノード、およびこれらのコンピュータプログラムは、フレキシブルであり、通信ネットワークにおいて（グループ通信に参加するそれらのクライアントノードによって規定される）適用可能なクライアントノードのみに適用され得る。
【００２５】
第１、第２、第３、第４、第５、第６、第７、第８、第９、第１０、および第１１の態様の任意の特徴は、適切であればいかなる場合も、任意の他の態様に適用され得ることを留意されたい。同様に、第１の態様の任意の利点は、第２、第３、第４、第５、第６、第７、第８、第９、第１０、および／または第１１の態様にそれぞれ等しく適用することができ、その逆もまた然りである。同封の実施形態の他の目標、特徴、および利点は、以下の詳細な開示から、ならびに図面から明らかとなるであろう。
【００２６】
一般に、本明細書で使用されるすべての用語は、本明細書で別段明示的に規定されない限り、本技術分野におけるその通例の意味に従って読み取るべきである。「１つの（ａ／ａｎ）／その（ｔｈｅ）要素、装置、コンポーネント、手段、ステップ、その他」へのすべての参照は、別段明示的に記述されない限り、その要素、装置、コンポーネント、手段、ステップ、その他の少なくとも１つの実例を指すようにオープンに読み取るべきである。本明細書で開示するいずれの方法のステップも、明示的に記述されない限り、開示した厳密な順序で実施される必要はない。
【００２７】
次に、本発明の概念の態様を、例として、付随する図面を参照して説明する。
【図面の簡単な説明】
【００２８】
【図１】実施形態による通信ネットワークを例示する概略図である。
【図２】従来技術によるシグナリング図である。
【図３】実施形態による方法の流れ図である。
【図４】実施形態による方法の流れ図である。
【図５】実施形態による方法の流れ図である。
【図６】実施形態による方法の流れ図である。
【図７】実施形態によるシグナリング図である。
【図８】一実施形態による制御ノードの機能ユニットを示す概略図である。
【図９】一実施形態による制御ノードの機能モジュールを示す概略図である。
【図１０】一実施形態によるクライアントノードの機能ユニットを示す概略図である。
【図１１】一実施形態によるクライアントノードの機能モジュールを示す概略図である。
【図１２】一実施形態によるコンピュータ可読手段を備えるコンピュータプログラム製品の一例を示す図である。
【発明を実施するための形態】
【００２９】
次に、本発明の概念の態様を、本発明の概念のいくらかの実施形態を示した付随する図面を参照して、以下でさらに十分に説明する。しかしながら、本発明の概念の態様は、多くの異なる形態で具体化されてよく、本明細書で述べる実施形態に限定されるものとして解釈されるべきではない。むしろ、これらの実施形態は、本開示が徹底的かつ完全であり、本発明の概念の範囲を当業者に伝えるのを助けるように、例として提供される。同様の番号は、本説明を通して同様の要素を指す。破線によって例示される任意のステップまたは特徴は、随意とみなされるべきである。
【００３０】
図１は、本明細書で提示する実施形態が適用され得る、通信システム１００を例示する概略図である。通信システム１００は、グループ通信のためのサービスを提供すると仮定され、したがって、グループ通信システムとみなされてよい。グループ通信システム１００は、いくつかの態様によれば、プッシュツートーク（ＰＴＴ）システムである。
【００３１】
通信システム１００は、無線アクセスネットワーク１２０と、コアネットワーク１３０と、サービスネットワーク１４０とを備える。とりわけ、通信システム１００は、少なくとも１つの制御ノード２００と、少なくとも１つのクライアントノード３００ａ、３００ｂ、３００ｃとを備える。少なくとも１つの制御ノード２００は、無線アクセスネットワーク１２０における無線アクセスネットワークノード１１０または別のエンティティもしくはデバイス、コアネットワーク１３０のエンティティもしくはデバイス、あるいはサービスネットワーク１４０のエンティティもしくはデバイスにおいて提供されるか、またはその上に設置されてよい。各クライアントノード３００ａ、３００ｂ、３００ｃは、それぞれワイヤレスデバイス１５０ａ、１５０ｂ、１５０ｃにおいて提供されるか、またはその上に設置されてよい。各クライアントノード３００ａ、３００ｂ、３００ｃは、クライアントノードのグループ１６０ａ、１６０ｂの一部であってよい。図１の例示的な例では、クライアントノード３００ａ、３００ｂは、グループ１６０ａの一部であり、クライアントノード３００ｂ、３００ｃは、グループ１６０ｂの一部である。
【００３２】
無線アクセスネットワーク１２０は、コアネットワーク１３０に動作可能に接続され、コアネットワーク１３０は、サービスネットワーク１４０に動作可能に接続される。無線アクセスネットワークノード１１０は、それによって、ワイヤレスデバイス１５０ａ、１５０ｂ、１５０ｃ、したがって、クライアントノード３００ａ、３００ｂ、３００ｃが、サービスネットワーク１４０によって提供される、サービスにアクセスし、データを交換することを可能にする。
【００３３】
ワイヤレスデバイス１５０ａ、１５０ｂ、１５０ｃの例は、限定はしないが、移動局、モバイルフォン、ハンドセット、ワイヤレスローカルループフォン、ユーザ機器（ＵＥ）、スマートフォン、ラップトップコンピュータ、およびタブレットコンピュータを含む。無線アクセスネットワークノード１１０の例は、限定はしないが、無線基地局、基地トランシーバ局、ノードＢ、エボルブドノードＢ、アクセスポイント、およびアクセスノードを含む。当業者が理解するように、通信システム１００は、複数の無線アクセスネットワークノード１１０を備えることができ、各々は、複数のワイヤレスデバイス１５０ａ、１５０ｂ、１５０ｃにネットワークアクセスを提供する。
【００３４】
本明細書で開示する実施形態は、いかなる特定の数の無線アクセスネットワークノード１１０、クライアントノード３００ａ、３００ｂ、３００ｃ、またはワイヤレスデバイス１５０ａ、１５０ｂ、１５０ｃにも限定されない。
【００３５】
次に、図２のシグナリング図を参照して、グループ通信システム１００において、クライアントノード３００ａをページングするための知られているページングプロシージャの一例を詳細に開示する。
【００３６】
Ｓ３０１：クライアントノード３００ａはアイドルモードにある。
【００３７】
Ｓ３０２：制御ノード２００は、ユニキャストを介して配信されるべき、モバイル着信（ＭＴ：Ｍｏｂｉｌｅ  Ｔｅｒｍｉｎａｔｅｄ）データなどのデータを有し、これの一例がグループ呼設定である。
【００３８】
Ｓ３０３：制御ノード２００は、データをコアネットワーク１３０に送ることによって、そのデータをクライアントノード３００のほうへ送る。
【００３９】
Ｓ３０４：クライアントノード３００ａがアイドルモードにあるので、コアネットワーク１３０は、無線アクセスネットワーク１２０においてクライアントノード３００ａのページングを開始する。
【００４０】
Ｓ３０５：（無線アクセスネットワークノード１００を用いた）無線アクセスネットワーク１２０は、クライアントノード３００ａにページングメッセージを送信する。
【００４１】
クライアントノード３００ａは、時間期間の後にページングメッセージを受信する。この時間期間は、（たとえば３ＧＰＰ  ＴＳ３６．３３１  ｖ１３．０．０におけるパラメータｄｅｆａｕｌｔＰａｇｉｎｇＣｙｃｌｅによって規定される）デフォルトページングサイクルに対応し、さらにはデフォルトページングサイクルよりも長くなり得る。時間期間は、第１のページングメッセージがクライアントノード３００ａによって正しく受信されない（または正しく復号されない）場合か、または第１の次の利用可能なページングサイクルにおいてページングメッセージを送信するためのページング容量が十分でない場合、デフォルトページングサイクルよりも長い。
【００４２】
Ｓ３０６：ページングメッセージの受信は、通信ネットワークにサービス要求を送信することによって、接続モードに入ることをクライアントノード３００ａに開始させる。
【００４３】
Ｓ３０７：クライアントノード３００ａが、正常に、接続モードに入ったとき、制御ノード２００によって送られたデータが、コアネットワーク１３０からクライアントノード３００ａに無線アクセスネットワーク１２０を介してフォワーディングされ得る。
【００４４】
図２に例示されているページングプロシージャは、アイドルモードにあるクライアントノード３００ａに達するときに長い遅延を容易に追加する。ページングプロシージャは、呼設定遅延に、平均してデフォルトページングサイクルの半分を付加する。その上、１つのページングサイクルにおけるページング容量が、クライアントノードのグループには十分でないというリスクがあり、これは、いくつかのクライアントノードが次の利用可能なページングサイクルにおいてページングされ得ることを意味し、これは、さらなる遅延を追加する。
【００４５】
本明細書で開示する実施形態は、グループ通信システム１００において少なくとも１つのクライアントノード３００ａ、３００ｂ、３００ｃをページングするための機構に関する。そのような機構を取得するために、制御ノード２００と、制御ノード２００によって実施される方法と、たとえばコンピュータプログラムの形態で、コードを備えるコンピュータプログラム製品とが提供され、コードは、制御ノード２００の処理回路上で起動するとき、制御ノード２００に方法を実施させる。
【００４６】
本明細書で開示するさらなる実施形態は、グループ通信システム１００においてページングを受信するための機構に関する。そのような機構を取得するために、クライアントノード３００ａと、クライアントノード３００ａによって実施される方法と、たとえばコンピュータプログラムの形態で、コードを備えるコンピュータプログラム製品とがさらに提供され、コードは、クライアントノード３００ａの処理回路上で起動するとき、クライアントノード３００ａに方法を実施させる。
【００４７】
図３および図４は、制御ノード２００によって実施される、グループ通信システム１００において少なくとも１つのクライアントノード３００ａ、３００ｂ、３００ｃをページングするための方法の実施形態を例示する流れ図である。図５および図６は、クライアントノード３００ａによって実施される、グループ通信システム１００においてページングを受信するための方法の実施形態を例示する流れ図である。方法は、有利には、コンピュータプログラムとして提供される。
【００４８】
提案されるページング機構は、ユニキャストサービスのための早期ページング機構を実施するために、ＭＢＭＳにおける単一セルポイントツーマルチポイント（ＳＣ−ＰＴＭ）送信モードを利用することに基づく。これは、ＳＣ−ＰＴＭの極めて短いアクティブ化と通知期間とを使用することによって達成され得る。
【００４９】
ＳＣ−ＰＴＭ送信モードは、第３世代パートナーシッププロジェクト（３ＧＰＰ）拡張ユニバーサル地上波無線アクセスネットワーク（Ｅ−ＵＴＲＡＮ）リリース１３（Ｒｅｌ−１３）において導入された。この送信モードの場合、１つの無線アクセスネットワークノード１１０のみがデータを送信する。グループ通信サーバは、一般に、クライアントノード３００ａ、３００ｂ、３００ｃがどこに位置するかに気づいており、そのため、データをブロードキャストする必要性がある場合、この１つの無線アクセスネットワークノード１１０によってサーブされる、ちょうどそのセル中のＭＢＭＳベアラをアクティブ化することができる。
【００５０】
ＳＣ−ＰＴＭ送信モードを使用することの１つの利益は、無線アクセスネットワーク１２０における高速アクティブ化プロシージャである。ＳＣ−ＰＴＭでは、２０ｍｓごとに送信され、２０ｍｓごとに修正され得る単一セルマルチキャスト制御チャネル（ＳＣ−ＭＣＣＨ）がある。この制御チャネルは、クライアントノード３００ａ、３００ｂ、３００ｃに、ブロードキャストされたデータがどの無線フレーム中で送信されているかを知らせる。
【００５１】
次に、一実施形態による、グループ通信システム１００の制御ノード２００によって実施される、グループ通信システム１００において少なくとも１つのクライアントノード３００ａ、３００ｂ、３００ｃをページングするための方法を例示する図３を参照する。
【００５２】
グループ通信システム１００において少なくとも１つのクライアントノード３００ａ、３００ｂ、３００ｃをページングする必要性があると仮定される。制御ノード２００は、そのため、ステップＳ１０２を実施することによって、そのような必要性を取得するように設定される。
【００５３】
Ｓ１０２：制御ノード２００は、グループ通信システム１００において少なくとも１つのクライアントノード３００ａ、３００ｂ、３００ｃをページングする必要性を取得する。制御ノード２００が、ページングするこの必要性をどのように取得することができるかについての異なるやり方を下で開示する。
【００５４】
この点において、制御ノード２００は、グループ通信システム１００におけるクライアントノード３００ａ、３００ｂ、３００ｃへの進行中の通信に関する制御ノード２００の現在の知識に基づいて、アイドルモードにあり、したがって、ページングされる必要があるクライアントノード３００ａ、３００ｂ、３００ｃがあり得ると仮定することができる。たとえば、ネットワークが規定した非アクティビティタイマーよりも長いグループ呼非アクティビティがあった場合、制御ノード２００は、クライアントノード３００ａ、３００ｂ、３００ｃのうちの少なくともいくつかが（これらのクライアントノード３００ａ、３００ｂ、３００ｃが他のトラフィックにより接続モードにとどまらなかった場合）アイドルモードにあり得ると仮定することができる。いくつかの態様では、制御ノード２００自体は、少なくとも１つのクライアントノード３００ａ、３００ｂ、３００ｃがアイドルモードにあるのか、アクティブモードにあるのかに明示的に気づいていないことがある。制御ノード２００が、少なくとも１つのクライアントノード３００ａ、３００ｂ、３００ｃがアイドルモードにあるのか、アクティブモードにあるのかに気づいているかどうかは、概して、制御ノード２００の機能性が、どんなプロトコルレイヤにおいて実装されるか、またはどんなプロトコルスタック中で実装されるか、および／または制御ノード２００の機能性が、グループ通信システム１００のどの部分において実装されるかに依存する。ある態様では、いわゆる、ページングする必要性が、アプリケーションレベルページングの必要性とみなされ得る。
【００５５】
ページングの送信は、ＳＣ−ＰＴＭ送信に基づき、それによって、ページングされている少なくとも１つのクライアントノード３００ａ、３００ｂ、３００ｃが接続モードへのそのノードの切替えを加速することを可能にし、それによって、ページングされている少なくとも１つのクライアントノード３００ａ、３００ｂ、３００ｃが高速および効率的な様式でパケットを受信することを許可する。したがって、制御ノード２００は、ステップＳ１０６にあるように、ページングメッセージを送信するように設定される。
【００５６】
Ｓ１０６：制御ノード２００は、少なくとも１つのクライアントノード３００ａ、３００ｂ、３００ｃのためのページングメッセージを送信する。ページングメッセージは、少なくとも１つのクライアントノード３００ａ、３００ｂ、３００ｃにＳＣ−ＰＴＭ送信により送信される。
【００５７】
増加された数のクライアントノード３００ａ、３００ｂ、３００ｃとともに、本明細書で開示するページングの利益が、限定されたページングサイクルバッファに基づいて増加する。
【００５８】
次に、グループ通信システム１００において少なくとも１つのクライアントノード３００ａ、３００ｂ、３００ｃをページングすることのさらなる詳細に関係した実施形態を開示する。
【００５９】
少なくとも１つのクライアントノード３００ａ、３００ｂ、３００ｃは、ページングメッセージが送信されるときにアイドルモードにあってよい。したがって、一実施形態によれば、ページングメッセージは、アイドルモードにあるクライアントノード３００ａ、３００ｂ、３００ｃによって受信されることを意図される。
【００６０】
制御ノード２００が、ＳＣ−ＰＴＭ送信によりページングメッセージを送信するための異なるやり方が存在してもよい。一実施形態によれば、ページングメッセージは、ＭＢＭＳベアラ上で送信される。
【００６１】
ステップＳ１０６において送信され得る、異なる種類のページングメッセージが存在してもよい。たとえば、ページングメッセージは、（クライアントノード３００ａ、３００ｂ、３００ｃのうちの１つのための）個別のページングメッセージであることも、（クライアントノード３００ａ、３００ｂ、３００ｃのグループ１６０ａ、１６０ｂのための）グループページングメッセージであることもできる。
【００６２】
第１の実施形態によれば、ページングメッセージは、少なくとも１つのクライアントノード３００ａ、３００ｂ、３００ｃに送信される個別のページングメッセージを表す。個別のページングメッセージは、そのため、いくつかの態様によれば、少なくとも１つのクライアントノード３００ａ、３００ｂ、３００ｃのうちの１つの識別子を備える。
【００６３】
第２の実施形態によれば、ページングメッセージは、グループページングメッセージである。こうして、ページングメッセージは、１つの共通グループページングメッセージを表すことができる。この共通グループページングメッセージは、クライアントノード３００ａ、３００ｂ、３００ｃのグループ１６０ａ、１６０ｂに送信される。グループページングメッセージは、そのため、いくつかの態様によれば、少なくとも１つのクライアントノード３００ａ、３００ｂ、３００ｃのグループ１６０ａ、１６０ｂの識別子を備える。
【００６４】
次に、さらなる実施形態による、グループ通信システム１００の制御ノード２００によって実施される、グループ通信システム１００において少なくとも１つのクライアントノード３００ａ、３００ｂ、３００ｃをページングするための方法を例示する図４を参照する。ステップＳ１０２およびＳ１０６は、図３を参照して説明したように実施されると仮定され、そのため、これらのステップの繰り返される説明は省略される。
【００６５】
ステップＳ１０２において、制御ノード２００がページングする必要性を取得するための異なるやり方が存在してもよい。一実施形態によれば、制御ノード２００は、ステップＳ１０２ａにあるように、パケットが、少なくとも１つのクライアントノード３００ａ、３００ｂ、３００ｃに宛てられることの結果として、必要性を取得するように設定される。
【００６６】
Ｓ１０２ａ：制御ノード２００は、少なくとも１つのパケットが、少なくとも１つのクライアントノード３００ａ、３００ｂ、３００ｃに宛てられるという指示を取得する。ステップＳ１０２ａは、ステップＳ１０２と一緒に、またはそれの一部として実施されてもよい。この指示は、少なくとも１つのパケットが発生している、（別のクライアントノード３００ａ、３００ｂ、３００ｃなどの）ノードまたはデバイスから取得され得る。代替として、指示は、通信ネットワーク１００の、別の制御ノードから、または管理ノードから取得され得る。一実施形態によれば、ページングメッセージは、少なくとも１つのパケットが、ユニキャストベアラを介して少なくとも１つのクライアントノード３００ａ、３００ｂ、３００ｃに送信されることになることを示す。
【００６７】
上述のように、一実施形態によれば、ページングメッセージは、ＭＢＭＳベアラ上で送信される。制御ノード２００は、そのため、ステップＳ１０４にあるように、少なくとも１つのクライアントノード３００ａ、３００ｂ、３００ｃをページングする必要性を取得すると、ＭＢＭＳベアラをアクティブ化するように設定され得る。
【００６８】
Ｓ１０４：制御ノード２００は、指示を取得したことに応答して、ＭＢＭＳベアラをアクティブ化する。
【００６９】
次に、一実施形態による、クライアントノード３００ａによって実施される、グループ通信システム１００においてページングを受信するための方法を例示する図５を参照する。
【００７０】
図３を参照して上で開示したように、制御ノード２００は、ステップＳ１０６において、ページングメッセージをクライアントノード３００ａに送信する。このページングメッセージがクライアントノード３００ａによって受信されると仮定される。クライアントノード３００ａは、そのため、ステップＳ２０４を実施するように設定され得る。
【００７１】
Ｓ２０４：クライアントノード３００ａは、グループ通信システム１００の制御ノード２００からＳＣ−ＰＴＭ送信によりクライアントノード３００ａのためのページングメッセージを受信する。
【００７２】
上で開示したように、クライアントノード３００ａは、ページングメッセージが送信され、こうして、ステップＳ２０４においてクライアントノード３００ａによって受信されるときにアイドルモードにあり得る。したがって、一実施形態によれば、クライアントノード３００ａは、ステップＳ２０４においてページングメッセージを受信するときにアイドルモードにある。
【００７３】
上でさらに開示したように、ステップＳ１０６において送信され、こうして、ステップＳ２０２においてクライアントノード３００ａによって受信され得る、異なる種類のページングメッセージが存在してもよい。これらの実施形態はこうして、クライアントノード３００ａにも適用される。
【００７４】
第１の実施形態によれば、ページングメッセージは、個別のページングメッセージである。こうして、ページングメッセージは、個別のページングメッセージを表し、クライアントノード３００ａの個別の識別子を備えることができる。
【００７５】
第２の実施形態によれば、ページングメッセージは、グループページングメッセージである。こうして、ページングメッセージは、１つの共通グループページングメッセージを表し、クライアントノード３００ａ、３００ｂ、３００ｃのグループ１６０ａ、１６０ｂのグループ識別子を備えることができ、クライアントノード３００ａはグループ１６０ａ、１６０ｂのメンバーである。
【００７６】
ページングメッセージ中に備えられた、異なる種類の情報が存在してもよい。たとえば、ページングメッセージは、クライアントノード３００ａに宛てられた少なくとも１つのパケットが、ユニキャストベアラを介してクライアントノード３００ａに送信されることになることを示すことができる。追加または代替として、ページングメッセージは、クライアントノードがユニキャスト無線ベアラを取得することを示すことができる。ページングメッセージはこうして、いくつかの態様によれば、ユニキャスト上で送信されるパケットのために、クライアントノード３００ａを起動するようにサーブする。
【００７７】
次に、さらなる実施形態による、クライアントノード３００ａによって実施される、グループ通信システム１００においてページングを受信するための方法を例示する図６を参照する。ステップＳ２０４は、図５を参照して説明したように実施されると仮定され、そのため、このステップの繰り返される説明は省略される。
【００７８】
ページングメッセージは、クライアントノード３００ａが監視しているＭＢＭＳベアラを介して送られ得る。クライアントノード３００ａはこうして、ページングメッセージを受信するときにすでにＭＢＭＳベアラを監視していることがある。したがって、一実施形態によれば、クライアントノード３００ａは、ステップＳ２０２を実施するように設定される。
【００７９】
Ｓ２０２：クライアントノード３００ａは、ページングメッセージを受信するより前にＭＢＭＳベアラを監視する。
【００８０】
さらに、上述のように、ページングメッセージは、クライアントノード３００ａを起動するようにサーブし、クライアントノード３００ａに接続モードに入るように促すことができる。したがって、一実施形態によれば、クライアントノード３００ａは、ステップＳ２０６を実施するように設定される。
【００８１】
Ｓ２０６：クライアントノード３００ａは、ステップＳ２０４においてページングメッセージを受信すると、接続モードに入るようにとのサービス要求を送信する。
【００８２】
クライアントデバイス３００ａは、ステップＳ２０４において受信されたページングメッセージに加えて、さらなるページングメッセージを受信し、したがって、ステップＳ２０８を実施するように設定されてよい。
【００８３】
Ｓ２０８：クライアントデバイス３００ａは、グループ通信システムの無線アクセスネットワークの無線アクセスネットワークノード１１０からクライアントノード３００ａのためのさらなるページングメッセージを受信する。
【００８４】
しかしながら、代替的に、クライアントデバイス３００ａは、ステップＳ２０４においてページングメッセージを受信すると、そのようなさらなるページングメッセージを無視するように設定され、したがって、ステップＳ２１０を実施するように設定される。
【００８５】
Ｓ２０８：クライアントデバイス３００ａは、接続モードに入ったことの帰結として、無線アクセスネットワーク１２０の無線アクセスネットワークノード１１０にさらなるサービス要求を送信しないことを決定する。
【００８６】
次に、図７のシグナリング図を参照して、上で開示した実施形態のうちの少なくともいくつかに基づいて、グループ通信システム１００において少なくとも１つのクライアントノード３００ａ、３００ｂ、３００ｃをページングし、グループ通信システム１００においてページングを受信するための１つの特定の実施形態を詳細に開示する。
【００８７】
Ｓ４０１：制御ノード２００は、グループ通信ページングメッセージのためのＭＢＭＳベアラを告知する。この告知は、クライアントノード３００ａが、ページングするために使用されるＭＢＭＳベアラについて通知されることを可能にする。告知は、ＭＢＭＳベアラを識別する一時モバイルグループ識別情報（ＴＭＧＩ：Ｔｅｍｐｏｒａｒｙ  Ｍｏｂｉｌｅ  Ｇｒｏｕｐ  Ｉｄｅｎｔｉｔｙ）の告知を含む。
【００８８】
Ｓ４０２：クライアントノード３００は、クライアントノード３００ａが位置するセルのセル識別情報を報告する。ステップＳ４０２は、クライアントノード３００ａが異なるセル間で移動するときはいつでも繰り返され得る。
【００８９】
Ｓ４０３：クライアントノード３００ａはアイドルモードにある。
【００９０】
Ｓ４０４：制御ノード２００は、ユニキャストを介して配信されるべき、モバイル着信（ＭＴ）データなどのデータを有し、そのため、グループ呼設定を開始する。
【００９１】
制御ノード２００は、ステップＳ４０８（下を参照されたい）において、データをコアネットワーク１３０に送ることによって、そのデータをクライアントノード３００のほうへ送り、ステップＳ４０８と並行して、制御ノード２００はステップＳ４０５〜Ｓ４０７を実施する。
【００９２】
Ｓ４０５：制御ノード２００は、ＭＢＭＳベアラを、ページングするために使用するために、および送信モードとしてのＳＣ−ＰＴＭを用いてアクティブ化する。このＭＢＭＳベアラのためのＴＭＧＩは、ステップＳ４０１に従ってクライアントノード３００ａによって知られている。ＭＢＭＳベアラのアクティブ化は、ステップＳ４０２に従って、クライアントノード３００ａが位置するセル中でのみ実施される。ＭＢＭＳベアラをセットアップ（告知およびアクティブ化）するためのプロシージャは、３ＧＰＰ  ＴＳ２３．２４６  ｖ１３．３．０および３ＧＰＰ  ＴＳ２６．３４６  ｖ１３．４．０において規定されている。
【００９３】
Ｓ４０６：制御ノード２００は、クライアントノード３００ａへの送信として、ＳＣ−ＰＴＭにおいて、新たにアクティブ化されたＭＢＭＳベアラ上で、ページングメッセージを送信する。このページングメッセージはセル中でブロードキャストされるので、このページングメッセージは、クライアントノード３００ａの識別子を含んでもよいし、クライアントノード３００ａが属するクライアントノード３００ａ、３００ｂのグループ１６０ａの識別子を含んでもよい。ページングされることになっている、グループに属するいくつかのクライアントノードがある場合、グループの識別子を含むことは有益である。これは、グループ通信における一般的なシナリオである。
【００９４】
Ｓ４０７：ページングメッセージの受信は、通信ネットワーク１００にサービス要求を送信することによって、接続モードに入ることをクライアントノード３００ａに開始させる。
【００９５】
Ｓ４０８：制御ノード２００は、データをコアネットワーク１３０に送ることによって、そのデータをクライアントノード３００のほうへ送る。
【００９６】
ステップＳ４０９〜Ｓ４１１は、図２に例示されているように、従来技術のページングプロシージャを表し、ステップＳ４０５〜Ｓ４０７と並行して実施される。
【００９７】
Ｓ４０９：コアネットワーク１３０は、ステップＳ４０８においてデータを受信したことに応答して、無線アクセスネットワーク１２０においてクライアントノード３００ａのページングを開始する。
【００９８】
Ｓ４１０：（無線アクセスネットワークノード１００を用いた）無線アクセスネットワーク１２０は、クライアントノード３００ａにページングメッセージを送信する。
【００９９】
Ｓ４１１：ページングメッセージの受信は、通信ネットワークにサービス要求を送信することによって、接続モードに入ることをクライアントノード３００ａに開始させる。本明細書で開示する実施形態を使用すると、ステップＳ４０７は、ステップＳ４１１が始まる前にたいがい完了し、したがって、クライアントノード３００ａがステップＳ４０７を完了することによって接続モードにすでに正常に入った場合、ステップＳ４１１はスキップされ得る。さらに、ステップＳ４０９が実施される前に、クライアントノード３００ａが接続モードに入ることを可能にするように十分に速くステップＳ４０５〜Ｓ４０７が実施される場合、（すべてのステップＳ４０９〜Ｓ４１１、またはステップＳ４１０〜Ｓ４１１、またはステップＳ４１１のいずれかなど、）ステップＳ４０９〜Ｓ４１１のうちの少なくともいくつかもスキップされ得る。
【０１００】
Ｓ４１２：制御ノード２００によって送られたデータが、コアネットワーク１３０からクライアントノード３００ａに無線アクセスネットワーク１２０を介してフォワーディングされる。
【０１０１】
上述のように、ステップＳ４０８は、ステップＳ４０５〜Ｓ４０７に並行して実施されてもよい。何らかの理由でステップＳ４０５〜Ｓ４０７が遅延または失敗する場合、（ステップＳ４０９〜Ｓ４１１によって規定される）ページングのための従来技術のプロシージャが使用され得る。
【０１０２】
ステップＳ４０４の代替として、クライアントノードの第１のグループ１６０ａが現在、グループ通信システム１００においてＭＢＭＳリソースを使用しているシナリオ、および、クライアントノードの第２のグループ１６０ｂがＭＢＭＳリソースを使用すると制御ノード２００がほぼリアルタイムで決定するということについて考える。ＭＢＭＳを介して両方のグループをサーブするために十分なＭＢＭＳリソースがない場合、グループ１６０ａ、１６０ｂのうちの一方がユニキャスト送信に移動されなければならない。第１のグループ１６０ａにおけるクライアントノードよりも高い数の、第２のグループ１６０ｂにおけるクライアントノードがあると仮定する。制御ノード２００は、そのため、クライアントノードの第１のグループ１６０ａがユニキャストに移動されるものと決定し、そのため、クライアントノードの第１のグループ１６０ａにページングメッセージを送信する。制御ノード２００はこうして、クライアントノードの第１のグループ１６０ａをページングし、その場合、（従来技術の状態よりもはるかに速く）クライアントノードの第２のグループ１６０ｂに、新しいグループ呼のためのＭＢＭＳベアラを使用させるために、第１のグループ１６０ａの進行中のグループ呼をユニキャスト送信に移動することができる。その結果として、クライアントノードの第１のグループ１６０ａはユニキャストに移動され、したがって、以前はＭＢＭＳベアラ上で行われたグループ呼が、今度は、ユニキャスト上で行われる。
【０１０３】
図８は、いくつかの機能ユニットに関して、一実施形態による制御ノード２００のコンポーネントを概略的に例示する。処理回路２１０は、たとえば、ストレージ媒体２３０の形態で（図１２にあるように）コンピュータプログラム製品４１０ａに記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。処理回路２１０はさらに、少なくとも１つの特定用途向け集積回路（ＡＳＩＣ）、またはフィールドプログラマブルゲートアレイ（ＦＰＧＡ）として提供されてもよい。
【０１０４】
とりわけ、処理回路２１０は、上で開示したように、制御ノード２００に、一組の動作またはステップＳ１０２〜Ｓ１０６を実施させるように設定される。たとえば、ストレージ媒体２３０は、一組の動作を記憶することができ、処理回路２１０は、制御ノード２００に一組の動作を実施させるために、ストレージ媒体２３０から一組の動作を取り出すように設定されてよい。一組の動作は、一組の実行可能な命令として提供されてよい。こうして処理回路２１０は、それによって、本明細書で開示する方法を実行するように構成される。
【０１０５】
ストレージ媒体２３０はまた、たとえば、磁気メモリ、光学メモリ、ソリッドステートメモリ、さらにはリモートに搭載されるメモリのうちのいずれか単独の１つまたは組合せであってよい、永続的なストレージを備えることができる。
【０１０６】
制御ノード２００は、少なくともクライアントノード３００ａ、３００ｂ、３００ｃとの通信のための、通信インターフェース２２０をさらに備えることができる。そうしたことから、通信インターフェース２２０は、アナログおよびデジタルコンポーネントを備える１つまたは複数の送信機および受信機と、好適な数の、ワイヤレス通信のためのアンテナとワイヤライン通信のためのポートとを備えることができる。
【０１０７】
処理回路２１０は、たとえば、データおよび制御信号を通信インターフェース２２０およびストレージ媒体２３０に送ることによって、データおよび報告を通信インターフェース２２０から受信することによって、ならびにデータおよび命令をストレージ媒体２３０から取り出すことによって、制御ノード２００の全般の動作を制御する。制御ノード２００の他のコンポーネント、ならびに関係する機能性は、本明細書で提示する概念を曖昧にしないように省略する。
【０１０８】
図９は、いくつかの機能モジュールに関して、一実施形態による制御ノード２００のコンポーネントを概略的に例示する。図９の制御ノード２００は、いくつかの機能モジュール、すなわち、ステップＳ１０２を実施するように設定された取得モジュール２１０ａと、ステップＳ１０６を実施するように設定された送信モジュール２１０ｂとを備える。図９の制御ノード２００は、ステップＳ１０２ａを実施するように設定された取得モジュール２１０ｃと、ステップＳ１０２を実施するように設定されたアクティブ化モジュール２１０ｄなど、いくつかの随意の機能モジュールをさらに備えることができる。一般論として、各機能モジュール２１０ａ〜２１０ｄは、ハードウェアまたはソフトウェアで実装されてよい。好ましくは、１つもしくは複数の、またはすべての機能モジュール２１０ａ〜２１０ｄが、処理回路２１０によって実装されてよく、場合により機能ユニット２２０および／または２３０と協力して実装されてよい。処理回路２１０はこうして、機能モジュール２１０ａ〜２１０ｄによって提供される命令をストレージ媒体２３０からフェッチし、これらの命令を実行するように構成されてよく、それによって、本明細書で開示するように制御ノード２００の任意のステップを実施する。
【０１０９】
制御ノード２００は、スタンドアロンデバイスとして、または少なくとも１つのさらなるデバイスの一部として提供されてよい。たとえば、制御ノード２００は、無線アクセスネットワークのノードにおいて、またはコアネットワークのノードにおいて提供されてよい。代替として、制御ノード２００の機能性が、少なくとも２つのデバイスまたはノード間で分散されてもよい。これらの少なくとも２つのノードまたはデバイスは、（無線アクセスネットワークまたはコアネットワークなどの）同じネットワーク部分の一部であってもよいし、少なくとも２つのそのようなネットワーク部分の間に散在してもよい。通信システム１００において制御ノード２００が提供され得る、いくつかの例が図１に例示されている。
【０１１０】
制御ノード２００の機能性は、プロトコルスタックのサービスレイヤにおいて実装されてよい。一般論として、リアルタイムで実施することを要求される命令は、リアルタイムで実施することを要求されない命令よりも、動作可能に無線アクセスネットワークに近いデバイスまたはノードにおいて実施されてよい。この点において、制御ノード２００の少なくとも一部は、実施形態が、本明細書で開示するようにリアルタイムで実施される場合に、無線アクセスネットワークノードなどにおいて、無線アクセスネットワークに常駐することができる。
【０１１１】
こうして、制御ノード２００によって実施される命令の第１の区分が第１のデバイスにおいて実行されてよく、制御ノード２００によって実施される命令の第２の区分が第２のデバイスにおいて実行されてよい。本明細書で開示する実施形態は、制御ノード２００によって実施される命令が実行され得るいかなる特定の数のデバイスにも限定されない。したがって、本明細書で開示する実施形態による方法は、クラウドコンピュータによる環境に常住する制御ノード２００によって実施されることに好適である。そのため、図８には単一の処理回路２１０が例示されているが、処理回路２１０は、複数のデバイスまたはノードの間で分散されてもよい。同じことは、図９の機能モジュール２１０ａ〜２１０ｄ、および図１２のコンピュータプログラム４２０ａ（下を参照されたい）にも適用される。
【０１１２】
図１０は、いくつかの機能ユニットに関して、一実施形態によるクライアントノード３００ａのコンポーネントを概略的に例示する。処理回路３１０は、たとえば、ストレージ媒体３３０の形態で（図１２にあるように）コンピュータプログラム製品４１０ｂに記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。処理回路３１０はさらに、少なくとも１つの特定用途向け集積回路（ＡＳＩＣ）、またはフィールドプログラマブルゲートアレイ（ＦＰＧＡ）として提供されてもよい。
【０１１３】
とりわけ、処理回路３１０は、上で開示したように、クライアントノード３００ａに、一組の動作またはステップＳ２０２〜Ｓ２１０を実施させるように設定される。たとえば、ストレージ媒体３３０は、一組の動作を記憶することができ、処理回路３１０は、クライアントノード３００ａに一組の動作を実施させるために、ストレージ媒体３３０から一組の動作を取り出すように設定されてよい。一組の動作は、一組の実行可能な命令として提供されてよい。こうして処理回路３１０は、それによって、本明細書で開示する方法を実行するように構成される。
【０１１４】
ストレージ媒体３３０はまた、たとえば、磁気メモリ、光学メモリ、ソリッドステートメモリ、さらにはリモートに搭載されるメモリのうちのいずれか単独の１つまたは組合せであってよい、永続的なストレージを備えることができる。
【０１１５】
クライアントノード３００ａは、少なくとも制御ノード２００との通信のための、通信インターフェース３２０をさらに備えることができる。そうしたことから、通信インターフェース３２０は、アナログおよびデジタルコンポーネントを備える１つまたは複数の送信機および受信機と、好適な数の、ワイヤレス通信のためのアンテナとワイヤライン通信のためのポートとを備えることができる。
【０１１６】
処理回路３１０は、たとえば、データおよび制御信号を通信インターフェース３２０およびストレージ媒体３３０に送ることによって、データおよび報告を通信インターフェース３２０から受信することによって、ならびにデータおよび命令をストレージ媒体３３０から取り出すことによって、クライアントノード３００ａの全般の動作を制御する。クライアントノード３００ａの他のコンポーネント、ならびに関係する機能性は、本明細書で提示する概念を曖昧にしないように省略する。
【０１１７】
図１１は、いくつかの機能モジュールに関して、一実施形態によるクライアントノード３００ａのコンポーネントを概略的に例示する。図１１のクライアントノード３００ａは、ステップＳ２０４を実施するように設定された受信モジュール３１０ａを備える。図１１のクライアントノード３００ａはさらに、ステップＳ２０２を実施するように設定された監視モジュール３１０ｂ、ステップＳ２０６を実施するように設定された送信モジュール３１０ｃ、ステップＳ２０８を実施するように設定された受信モジュール３１０ｄ、およびステップＳ２１０を実施するように設定された決定モジュール３１０ｅのうちのいずれかなど、いくつかの随意の機能モジュールを備えることができる。一般論として、各機能モジュール３１０ａ〜３１０ｅは、ハードウェアまたはソフトウェアで実装されてよい。好ましくは、１つもしくは複数の、またはすべての機能モジュール３１０ａ〜３１０ｅが、処理回路３１０によって実装されてよく、場合により機能ユニット３２０および／または３３０と協力して実装されてよい。処理回路３１０はこうして、機能モジュール３１０ａ〜３１０ｅによって提供される命令をストレージ媒体３３０からフェッチし、これらの命令を実行するように構成されてよく、それによって、本明細書で開示するようにクライアントノード３００ａの任意のステップを実施する。
【０１１８】
クライアントノード３００ａは、スタンドアロンデバイスとして、または少なくとも１つのさらなるデバイスの一部として提供されてよい。たとえば、クライアントノード３００ａは、ワイヤレスデバイス１５０ａにおいて提供されてよい。したがって、ワイヤレスデバイス１５０ａの任意の処理回路、通信インターフェース、およびストレージ媒体は、クライアントノード３００ａの処理回路３１０、通信インターフェース３２０、およびストレージ媒体３３０と共有されてよい。こうして、ワイヤレスデバイス１５０ａの処理回路、通信インターフェース、およびストレージ媒体が、本明細書で開示するクライアントノード３００ａの機能性を実装するように設定されている限り、クライアントノード３００ａが、それ自体の処理回路３１０と、通信インターフェース３２０と、ストレージ媒体３３０とを有する必要はない。
【０１１９】
図１２は、コンピュータ可読手段４３０を備えるコンピュータプログラム製品４１０ａ、４１０ｂの一例を示す。このコンピュータ可読手段４３０上に、コンピュータプログラム４２０ａが記憶され得、そのコンピュータプログラム４２０ａは、処理回路２１０、ならびに通信インターフェース２２０およびストレージ媒体２３０など、処理回路２１０に動作可能に結合されたエンティティおよびデバイスに、本明細書で説明する実施形態による方法を実行させることができる。コンピュータプログラム４２０ａおよび／またはコンピュータプログラム製品４１０ａは、こうして、本明細書で開示する、制御ノード２００の任意のステップを実施するための手段を提供することができる。このコンピュータ可読手段４３０上に、コンピュータプログラム４２０ｂが記憶され得、そのコンピュータプログラム４２０ｂは、処理回路３１０、ならびに通信インターフェース３２０およびストレージ媒体３３０など、処理回路３１０に動作可能に結合されたエンティティおよびデバイスに、本明細書で説明する実施形態による方法を実行させることができる。コンピュータプログラム４２０ｂおよび／またはコンピュータプログラム製品４１０ｂは、こうして、本明細書で開示する、クライアントノード３００の任意のステップを実施するための手段を提供することができる。
【０１２０】
図１２の例では、コンピュータプログラム製品４１０ａ、４１０ｂは、ＣＤ（コンパクトディスク）もしくはＤＶＤ（デジタル多用途ディスク）、またはブルーレイディスクなどの光学ディスクとして例示されている。コンピュータプログラム製品４１０ａ、４１０ｂはまた、ランダムアクセスメモリ（ＲＡＭ）、読み出し専用メモリ（ＲＯＭ）、消去可能なプログラマブル読み出し専用メモリ（ＥＰＲＯＭ）、または電気的に消去可能なプログラマブル読み出し専用メモリ（ＥＥＰＲＯＭ）などのメモリとして、より詳細には、ＵＳＢ（ユニバーサルシリアルバス）メモリ、またはコンパクトフラッシュメモリなどのフラッシュメモリなど、外部メモリにおけるデバイスの不揮発性ストレージ媒体として具現化され得る。こうして、コンピュータプログラム４２０ａ、４２０ｂは、ここでは、図示された光学ディスク上のトラックとして概略的に示されているが、コンピュータプログラム４２０ａ、４２０ｂは、コンピュータプログラム製品４１０ａ、４１０ｂに好適な任意のやり方で記憶されてよい。
【０１２１】
本発明の概念の態様を、主に数個の実施形態を参照して上で説明してきた。しかしながら、当業者によって直ちに認識されるように、上で開示した実施形態以外の実施形態も、下の列挙された実施形態によって規定される本発明の概念の範囲内で等しく可能である。
【０１２２】
列挙された実施形態
１．  グループ通信システム（１００）の制御ノード（２００）によって実施される、グループ通信システム（１００）において少なくとも１つのクライアントノード（３００ａ、３００ｂ、３００ｃ）をページングするための方法であって、
グループ通信システム（１００）において少なくとも１つのクライアントノード（３００ａ、３００ｂ、３００ｃ）をページングする必要性を取得すること（Ｓ１０２）と、
少なくとも１つのクライアントノード（３００ａ、３００ｂ、３００ｃ）に単一セルポイントツーマルチポイント（ＳＣ−ＰＴＭ）送信により少なくとも１つのクライアントノード（３００ａ、３００ｂ、３００ｃ）のためのページングメッセージを送信すること（Ｓ１０６）と
を備える方法。
２．  ページングメッセージが、マルチメディアブロードキャストマルチキャストサービス（ＭＢＭＳ）ベアラ上で送信される、項目１に記載の方法。
３．  ページングする必要性を取得することは、
少なくとも１つのパケットが、少なくとも１つのクライアントノード（３００ａ、３００ｂ、３００ｃ）に宛てられるという指示を取得すること（Ｓ１０２ａ）
を備える、項目１に記載の方法。
４．  指示を取得したことに応答して、ＭＢＭＳベアラをアクティブ化すること（Ｓ１０４）
をさらに備える、項目２または３に記載の方法。
５．  ページングメッセージは、少なくとも１つのパケットが、ユニキャストベアラを介して少なくとも１つのクライアントノード（３００ａ、３００ｂ、３００ｃ）に送信されることになることを示す、項目３に記載の方法。
６．  ページングメッセージが、少なくとも１つのクライアントノード（３００ａ、３００ｂ、３００ｃ）に送信される個別のページングメッセージを表す、項目１に記載の方法。
７．  個別のページングメッセージが、少なくとも１つのクライアントノード（３００ａ、３００ｂ、３００ｃ）のうちの１つの識別子を備える、項目６に記載の方法。
８．  ページングメッセージが、クライアントノード（３００ａ、３００ｂ、３００ｃ）のグループ（１６０ａ、１６０ｂ）に送信される１つの共通グループページングメッセージを表す、項目１に記載の方法。
９．  グループページングメッセージが、少なくとも１つのクライアントノード（３００ａ、３００ｂ、３００ｃ）のグループ（１６０ａ、１６０ｂ）の識別子を備える、項目８に記載の方法。
１０．  少なくとも１つのクライアントノード（３００ａ、３００ｂ、３００ｃ）は、ページングメッセージが送信されるときにアイドルモードにある、項目１に記載の方法。
１１．  クライアントノード（３００ａ）によって実施される、グループ通信システム（１００）においてページングを受信するための方法であって、
グループ通信システム（１００）の制御ノード（２００）から単一セルポイントツーマルチポイント（ＳＣ−ＰＴＭ）送信によりクライアントノード（３００ａ）のためのページングメッセージを受信すること（Ｓ２０４）
を備える方法。
１２．  クライアントノード（３００ａ）が、ページングメッセージを受信するときにアイドルモードにある、項目１１に記載の方法。
１３．  ページングメッセージを受信すると、接続モードに入るようにとのサービス要求を送信すること（Ｓ２０６）
をさらに備える、項目１２に記載の方法。
１４．  グループ通信システム（１００）の無線アクセスネットワーク（１２０）の無線アクセスネットワークノード（１１０）からクライアントノード（３００ａ）のためのさらなるページングメッセージを受信すること（Ｓ２０８）
をさらに備える、項目１１に記載の方法。
１５．  接続モードに入ったことの帰結として、無線アクセスネットワーク（１２０）の無線アクセスネットワークノード（１１０）にさらなるサービス要求を送信しないことを決定すること（Ｓ２１０）
をさらに備える、項目１３および１４に記載の方法。
１６．  ページングメッセージが、マルチメディアブロードキャストマルチキャストサービス（ＭＢＭＳ）ベアラ上で受信される、項目１１に記載の方法。
１７．  ページングメッセージを受信するより前にＭＢＭＳベアラを監視すること（Ｓ２０２）
をさらに備える、項目１６に記載の方法。
１８．  ページングメッセージは、クライアントノード（３００ａ）に宛てられた少なくとも１つのパケットが、ユニキャストベアラを介してクライアントノード（３００ａ）に送信されることになることを示す、項目１１に記載の方法。
１９．  ページングメッセージは、クライアントノード（３００ａ）がサービス要求を送信することによって、クライアントノード（３００ａ）がユニキャスト無線ベアラを取得することを示す、項目１１に記載の方法。
２０．  ページングメッセージがクライアントノード（３００ａ）の個別の識別子を備える、項目１１に記載の方法。
２１．  ページングメッセージが、クライアントノード（３００ａ、３００ｂ、３００ｃ）のグループ（１６０ａ、１６０ｂ）のグループ識別子を備え、クライアントノード（３００ａ）がグループ（１６０ａ、１６０ｂ）のメンバーである、項目１１に記載の方法。
２２．  処理回路（２１０）を備える、グループ通信システム（１００）において少なくとも１つのクライアントノード（３００ａ、３００ｂ、３００ｃ）をページングするための制御ノード（２００）であって、処理回路が、制御ノード（２００）に、
グループ通信システム（１００）において少なくとも１つのクライアントノード（３００ａ、３００ｂ、３００ｃ）をページングする必要性を取得することと、
少なくとも１つのクライアントノード（３００ａ、３００ｂ、３００ｃ）に単一セルポイントツーマルチポイント（ＳＣ−ＰＴＭ）送信により少なくとも１つのクライアントノード（３００ａ、３００ｂ、３００ｃ）のためのページングメッセージを送信することと
を行わせるように設定される、制御ノード（２００）。
２３．  処理回路（２１０）と、
命令を記憶するコンピュータプログラム製品（４１０ａ）と
を備える、グループ通信システム（１００）において少なくとも１つのクライアントノード（３００ａ、３００ｂ、３００ｃ）をページングするための制御ノード（２００）であって、命令が、処理回路（２１０）によって実行されるとき、制御ノード（２００）に、
グループ通信システム（１００）において少なくとも１つのクライアントノード（３００ａ、３００ｂ、３００ｃ）をページングする必要性を取得することと、
少なくとも１つのクライアントノード（３００ａ、３００ｂ、３００ｃ）に単一セルポイントツーマルチポイント（ＳＣ−ＰＴＭ）送信により少なくとも１つのクライアントノード（３００ａ、３００ｂ、３００ｃ）のためのページングメッセージを送信することと
を行わせる、制御ノード（２００）。
２４．  グループ通信システム（１００）において少なくとも１つのクライアントノード（３００ａ、３００ｂ、３００ｃ）をページングするための制御ノード（２００）であって、
グループ通信システム（１００）において少なくとも１つのクライアントノード（３００ａ、３００ｂ、３００ｃ）をページングする必要性を取得するように設定された取得モジュール（２１０ａ）と、
少なくとも１つのクライアントノード（３００ａ、３００ｂ、３００ｃ）に単一セルポイントツーマルチポイント（ＳＣ−ＰＴＭ）送信により少なくとも１つのクライアントノード（３００ａ、３００ｂ、３００ｃ）のためのページングメッセージを送信するように設定された送信モジュール（２１０ｂ）と
を備える制御ノード（２００）。
２５．  処理回路（３１０）を備える、グループ通信システム（１００）においてページングを受信するためのクライアントノード（３００ａ）であって、処理回路が、クライアントノード（３００ａ）に、
グループ通信システム（１００）の制御ノード（２００）から単一セルポイントツーマルチポイント（ＳＣ−ＰＴＭ）送信によりクライアントノード（３００ａ）のためのページングメッセージを受信すること
を行わせるように設定される、クライアントノード（３００ａ）。
２６．  処理回路（３１０）と、
命令を記憶するコンピュータプログラム製品（４１０ｂ）と
を備える、グループ通信システム（１００）においてページングを受信するためのクライアントノード（３００ａ）であって、命令が、処理回路（３１０）によって実行されるとき、クライアントノード（３００ａ）に、
グループ通信システム（１００）の制御ノード（２００）から単一セルポイントツーマルチポイント（ＳＣ−ＰＴＭ）送信によりクライアントノード（３００ａ）のためのページングメッセージを受信すること
を行わせる、クライアントノード（３００ａ）。
２７．  グループ通信システム（１００）においてページングを受信するためのクライアントノード（３００ａ）であって、
グループ通信システム（１００）の制御ノード（２００）から単一セルポイントツーマルチポイント（ＳＣ−ＰＴＭ）送信によりクライアントノード（３００ａ）のためのページングメッセージを受信するように設定された受信モジュール（３１０ａ）
を備えるクライアントノード（３００ａ）。
２８．  コンピュータコードを備える、グループ通信システム（１００）において少なくとも１つのクライアントノード（３００ａ、３００ｂ、３００ｃ）をページングするためのコンピュータプログラム（４２０ａ）であって、コンピュータコードが、制御ノード（２００）の処理回路（２１０）上で起動するとき、制御ノード（２００）に、
グループ通信システム（１００）において少なくとも１つのクライアントノード（３００ａ、３００ｂ、３００ｃ）をページングする必要性を取得すること（Ｓ１０２）と、
少なくとも１つのクライアントノード（３００ａ、３００ｂ、３００ｃ）に単一セルポイントツーマルチポイント（ＳＣ−ＰＴＭ）送信により少なくとも１つのクライアントノード（３００ａ、３００ｂ、３００ｃ）のためのページングメッセージを送信すること（Ｓ１０４）と
を行わせる、コンピュータプログラム（４２０ａ）。
２９．  コンピュータコードを備える、グループ通信システム（１００）においてページングを受信するためのコンピュータプログラム（４２０ｂ）であって、コンピュータコードが、クライアントノード（３００ａ）の処理回路（３１０）上で起動するとき、クライアントノード（３００ａ）に、
グループ通信システム（１００）の制御ノード（２００）から単一セルポイントツーマルチポイント（ＳＣ−ＰＴＭ）送信によりクライアントノード（３００ａ）のためのページングメッセージを受信すること（Ｓ２０４）
を行わせる、コンピュータプログラム（４２０ｂ）。
３０．  項目２８および２９のうちの少なくとも一項目に記載のコンピュータプログラム（４２０ａ、４２０ｂ）と、コンピュータプログラムが記憶されるコンピュータ可読ストレージ媒体（４３０）とを備えるコンピュータプログラム製品（４１０ａ、４１０ｂ）。
【図１】
2019512972.tif 000003
【図２】
2019512972.tif 000004
【図３】
2019512972.tif 000005
【図４】
2019512972.tif 000006
【図５】
2019512972.tif 000007
【図６】
2019512972.tif 000008
【図７】
2019512972.tif 000009
【図８】
2019512972.tif 000010
【図９】
2019512972.tif 000011
【図１０】
2019512972.tif 000012
【図１１】
2019512972.tif 000013
【図１２】
2019512972.tif 000014
【国際調査報告】
2019512972.tif 000015
2019512972.tif 000016